(57)【特許請求の範囲】
【請求項１】
第１コンデンサーの両端がそれぞれスイッチを通じて正電源端子、負電源端子にそれぞれ接続されて電荷をチャージングする第１正極性電荷チャージング部；
第２コンデンサーの両端がそれぞれスイッチを通じて正電源端子、グラウンド端子にそれぞれ接続されて電荷をチャージングする第２正極性電荷チャージング部；
正電源端子を通じて供給される電荷を前記第１正極性電荷チャージング部の第１コンデンサーの負極性端子側にローディングする第１正極性電荷ローディング部；
前記第１正極性電荷チャージング部の第１コンデンサーにチャージングされた電荷を第２正極性電荷チャージング部の第２コンデンサーの負極性端子側にローディングする第２正極性電荷ローディング部；
前記第２正極性電荷チャージング部の第２コンデンサーにチャージングされた電荷をゲート端子に接続された第３コンデンサーにローディングする第３正極性電荷ローディング部；
新しいフレームが始まる度に同一の位相のチャージング制御信号を前記第１、２正極性電荷チャージング部の第１、２スイッチに出力して、そのチャージング制御信号の区間及び前記第１−３正極性電荷ローディング部の各スイッチに出力するローディング制御信号の区間を周期的にまたは不規則的に変化させる正極性電荷チャージング／ローディング制御部；で構成したことを特徴とする液晶表示装置の電源供給回路。
【請求項２】
第１正極性電荷ローディング部は、前記正電源端子と第１正極性電荷チャージング部の第１コンデンサーの負極性端子との間に接続された第５スイッチを具備したことを特徴とする請求項１に記載の液晶表示装置の電源供給回路。
【請求項３】
第２正極性電荷ローディング部は、前記第１正極性電荷チャージング部の第１スイッチの正極性端子と前記第２正極性電荷チャージング部の第２スイッチの負極性端子との間に接続された第６スイッチを具備したことを特徴とする請求項１に記載の液晶表示装置の電源供給回路。
【請求項４】
第３正極性電荷ローディング部は、前記第２正極性電荷チャージング部の第２コンデンサーの正極性端子とグラウンド端子との間に直列接続された第７スイッチ及び第３コンデンサーを具備したことを特徴とする請求項１に記載の液晶表示装置の電源供給回路。
【請求項５】
チャージング制御信号とローディング制御信号は、位相が反対であることを特徴とする請求項１に記載の液晶表示装置の電源供給回路。
【請求項６】
正極性電荷チャージング／ローディング制御部は、
実際入力される水平同期信号を参照して、それと類似な形態の水平同期信号を生成する水平同期信号発生器；
選択信号によって前記実際入力される水平同期信号や類似な形態の水平同期信号のうちで一つの信号を選択して出力するマルチプレクサ；
前記マルチプレクサから入力される水平同期信号を遅延器で所定時間遅延して、ＮＡＮＤゲートを通じてＮＡＮＤ組み合せて、それによるリセット信号を出力するリセット信号発生部；
前記リセット信号によってリセットされて、水平同期信号と同一の周期を有するｎビットの出力を発生するカウンター；
前記カウンターの出力を受けて、前記チャージング制御信号及びローディング制御信号を発生するＰＷＭ発生器；を具備したことを特徴とする請求項１に記載の液晶表示装置の電源供給回路。
【請求項７】
ＰＷＭ発生器は、
前記チャージング／ローディング制御信号を順次に変化させて発生するが、毎フレームが始まる度に同一の値で制御信号を発生させて、垂直同期信号がローである区間では動作をしない順次信号発生器；
前記チャージング／ローディング制御信号を不規則的に変化させて発生するが、毎フレームが始まる度に同一の値で制御信号を発生させて、垂直同期信号がローである区間では動作をしないランダム信号発生器；
選択信号によって前記順次信号発生器の出力信号やランダム信号発生器の出力信号を選択して出力するマルチプレクサ；を含んで構成されたことを特徴とする請求項６に記載の液晶表示装置の電源供給回路。
【請求項８】
順次信号発生器は前記チャージング制御信号及びローディング制御信号の位相を規則的に変化させることを特徴とする請求項７に記載の液晶表示装置の電源供給回路。
【請求項９】
ランダム信号発生器は、前記チャージング制御信号及びローディング制御信号の位相を不規則的に発生させることを特徴とする請求項７に記載の液晶表示装置の電源供給回路。
【請求項１０】
第１コンデンサーの両端がそれぞれスイッチを通じて正電源端子、負電源端子にそれぞれ接続されて、電荷をチャージングする負極性電荷チャージング部；
グラウンド端子を通じて供給される電荷を前記負極性電荷チャージング部の第１コンデンサーの正極性端子側にローディングする第１負極性電荷ローディング部；
前記負極性電荷チャージング部の第１コンデンサーにチャージングされた負極性電荷をゲート端子に接続された第２コンデンサーにローディングする第２負極性電荷ローディング部；
新しいフレームが始まる度に同一の位相のチャージング制御信号を前記負極性電荷チャージング部の第１スイッチに出力して、そのチャージング制御信号の区間及び前記第１、２負極性電荷ローディング部の各スイッチに出力するローディング制御信号の区間を周期的にまたは不規則的に変化させる負極性電荷チャージング／ローディング制御部；で構成したことを特徴とする液晶表示装置の電源供給回路。
【請求項１１】
第１負極性電荷ローディング部は、グラウンド端子と前記負極性電荷チャージング部の第１コンデンサーの正極性端子との間に第３スイッチを具備したことを特徴とする請求項１０に記載の液晶表示装置の電源供給回路。
【請求項１２】
第２負極性電荷ローディング部は、前記負極性電荷チャージング部の第１コンデンサーの負極性端子とグラウンド端子との間に直列接続された第４スイッチ及び第２コンデンサーを具備したことを特徴とする請求項１０に記載の液晶表示装置の電源供給回路。
【請求項１３】
チャージング制御信号とローディング制御信号は、位相が反対であることを特徴とする請求項１０に記載の液晶表示装置の電源供給回路。
【請求項１４】
負極性電荷チャージング／ローディング制御部は、
実際入力される水平同期信号を参照して、それと類似な形態の水平同期信号を生成する水平同期信号発生器；
選択信号によって前記実際入力される水平同期信号や類似な形態の水平同期信号のうちで一つの信号を選択して出力するマルチプレクサ；
前記マルチプレクサから入力される水平同期信号を遅延器で所定時間遅延して、ＮＡＮＤゲートを通じてＮＡＮＤ組み合せて、それによるリセット信号を出力するリセット信号発生部；
前記リセット信号によってリセットされて、水平同期信号と同一の周期を有するｎビットの出力を発生するカウンター；
前記カウンターの出力を受けて前記チャージング制御信号及びローディング制御信号を発生するＰＷＭ発生器；を具備したことを特徴とする請求項１０に記載の液晶表示装置の電源供給回路。
【請求項１５】
ＰＷＭ発生器は、
前記チャージング／ローディング制御信号を順次に変化させて発生するが、毎フレームが始まる度に同一の値で制御信号を発生させて、垂直同期信号がローである区間では動作をしない順次信号発生器；
前記チャージング／ローディング制御信号を不規則的に変化させて発生するが、毎フレームが始まる度に同一の値で制御信号を発生させて、垂直同期信号がローである区間では動作をしないランダム信号発生器；
選択信号によって前記順次信号発生器の出力信号やランダム信号発生器の出力信号を選択して出力するマルチプレクサ；を含んで構成されたことを特徴とする請求項１４に記載の液晶表示装置の電源供給回路。
【請求項１６】
順次信号発生器は、前記チャージング制御信号及びローディング制御信号の位相を規則的に変化させることを特徴とする請求項１４に記載の液晶表示装置の電源供給回路。
【請求項１７】
ランダム信号発生器は、前記チャージング制御信号及びローディング制御信号の位相を不規則的に変化させることを特徴とする請求項１４に記載の液晶表示装置の電源供給回路。
【発明の詳細な説明】
【技術分野】
【０００１】
本発明は、液晶表示装置のパネル駆動に必要な電源を供給する技術に関し、特に、ゲート電圧を生成する時に周期的にまたは不規則的に変化されるチャージング制御信号及びローディング制御信号を使用して電磁波干渉を低減することができるようにした液晶表示装置の電源供給回路に関する。
【背景技術】
【０００２】
図１は、従来液晶表示装置の概略ブロック図として、これに示したように、複数個のゲートラインとデータラインがお互いに垂直した方向に配列されて、マトリックス形態のピクセル領域を有する液晶パネル１１０；該液晶パネル１１０に駆動信号とデータ信号を供給する駆動回路部１２１及び、その駆動回路部１２１で要する電源を供給する電源供給部１２２で構成されたＬＤＩ（ＬＣＤ  Ｄｒｉｖｅｒ  ＩＣ）１２０を具備する。
【０００３】
前記駆動回路部１２１は、ゲートドライバー１２１Ａ、ソースドライバー１２１Ｂ、タイミングコントローラ１２１Ｃを具備する。
【０００４】
ゲートドライバー１２１Ａは、前記液晶パネル１１０の各ゲートラインを駆動するためのゲート駆動信号を出力する。
【０００５】
ソースドライバー１２１Ｂは、前記液晶パネル１１０の各データラインにデータ信号を出力する。
【０００６】
タイミングコントローラ１２１Ｃは、前記ゲートドライバー１２１Ａ及びソースドライバー１２１Ｂの駆動を制御すると共に、電源供給部１２２の駆動を制御する。
【０００７】
電源供給部１２２は電源制御部１２２Ａ、ソース電源駆動部１２２Ｂ及びゲート電源駆動部１２２Ｃを具備する。
【０００８】
電源制御部１２２Ａは、前記タイミングコントローラ１２１Ｃの制御を受けてソース電源駆動部１２２Ｂ及びゲート電源駆動部１２２Ｃの駆動を制御する。
【０００９】
この時、前記ゲート電源駆動部１２２Ｃは、前記ゲートドライバー１２１Ａで前記ゲート駆動信号を生成するために必要とするゲートハイ電圧（ＶＧＨ）とゲートロー電圧（ＶＧＬ）を生成して供給する。
【先行技術文献】
【特許文献】
【００１０】
【特許文献１】特開平１１−１６７３６６号公報。
【発明の概要】
【発明が解決しようとする課題】
【００１１】
ところが、前記ゲート電源駆動部に具備された電源供給回路においては前記ゲートハイ電圧（ＶＧＨ）とゲートロー電圧（ＶＧＬ）を生成するためのチャージング制御信号及びローディング制御信号を出力する時、図２の（ａ）のように常に同一位相のスイッチングパルスを出力した。これによって図２の（ｂ）のようにスペクトラムが中心周波数（ｆ０）帯域に集中された。
【００１２】
そして、ソース電源駆動部１２２Ｂは、前記ソースドライバー１２１Ｂで前記データ信号を生成するために必要とする正、負極性のパネル駆動電圧（ＶＤＤＰ）、（ＶＤＤＮ）を供給する。
【００１３】
このように、従来のゲート電源駆動部に具備された電源供給回路においては、ゲートハイ電圧やゲートロー電圧を生成するためのチャージング制御信号及びローディング制御信号を出力する時固定された位相のチャージング制御信号及びローディング制御信号を出力して電磁波干渉（ＥＭＩ：Ｅｌｅｃｔｒｏ  Ｍａｇｎｅｔｉｃ  Ｉｎｔｅｒｆｅｒｅｎｃｅ）がひどく現われる問題点があった。
【００１４】
また、新しいフレームが始まる度に他の位相のチャージング制御信号及びローディング制御信号を使用して画像が不安定にディスプレイされる問題点があった。
【００１５】
したがって、本発明が解決しようとする課題は、ゲート電源駆動部に具備された電源供給回路でゲートハイ電圧やゲートロー電圧を生成する場合において、チャージング制御信号及びローディング制御信号を出力する時にチャージング制御信号及びローディング制御信号の区間を周期的にまたは不規則的に変化させて、新しいフレームが始まる度に同一の位相のチャージング制御信号及びローディング制御信号を使用することにある。
【００１６】
本発明が解決しようとする課題は、前述した課題に制限されない。本発明の他の課題及び長所は下記の説明によってさらに明らかに理解されるであろう。
【課題を解決するための手段】
【００１７】
前記のような課題を達成するための本発明は、
第１コンデンサーの両端がそれぞれスイッチを通じて正電源端子、負電源端子にそれぞれ接続されて電荷をチャージングする第１正極性電荷チャージング部；
第２コンデンサーの両端がそれぞれスイッチを通じて正電源端子、グラウンド端子にそれぞれ接続されて電荷をチャージングする第２正極性電荷チャージング部；
正電源端子を通じて供給される電荷を前記第１正極性電荷チャージング部の第１コンデンサーの負極性端子側にローディングする第１正極性電荷ローディング部；
前記第１正極性電荷チャージング部の第１コンデンサーにチャージングされた電荷を第２正極性電荷チャージング部の第２コンデンサーの負極性端子側にローディングする第２正極性電荷ローディング部；
前記第２正極性電荷チャージング部の第２コンデンサーにチャージングされた電荷をゲート端子に接続された第３コンデンサーにローディングする第３正極性電荷ローディング部；
新しいフレームが始まる度に同一の位相のチャージング制御信号を前記第１、２正極性電荷チャージング部の第１、２スイッチに出力して、そのチャージング制御信号の区間及び前記第１−３正極性電荷ローディング部の各スイッチに出力するローディング制御信号の区間を周期的にまたは不規則的に変化させる正極性電荷チャージング／ローディング制御部；を具備した液晶表示装置の電源供給回路を提供することにある。
【００１８】
前記のような課題を達成するための他の本発明は、
第１コンデンサーの両端がそれぞれスイッチを通じて正電源端子、負電源端子にそれぞれ接続されて電荷をチャージングする負極性電荷チャージング部；
グラウンド端子を通じて供給される電荷を前記負極性電荷チャージング部の第１コンデンサーの正極性端子側にローディングする第１負極性電荷ローディング部；
前記負極性電荷チャージング部の第１コンデンサーにチャージングされた負極性電荷をゲート端子に接続された第２コンデンサーにローディングする第２負極性電荷ローディング部；
新しいフレームが始まる度に同一の位相のチャージング制御信号を前記負極性電荷チャージング部の第１スイッチに出力して、そのチャージング制御信号の区間及び前記第１、２負極性電荷ローディング部の各スイッチに出力するローディング制御信号の区間を周期的にまたは不規則的に変化させる負極性電荷チャージング／ローディング制御部；を具備した液晶表示装置の電源供給回路を提供することにある。
【発明の効果】
【００１９】
本発明は、ゲート電源駆動部に具備された電源供給回路でゲートハイ電圧やゲートロー電圧を生成するにおいて、チャージング制御信号及びローディング制御信号の区間を周期的に、またはランダムに可変することで電磁波干渉が低減される効果がある。
【００２０】
また、新しいフレームが始まる度に同一の位相のチャージング制御信号及びローディング制御信号を使用して画像が安定された状態にディスプレイされる効果がある。
【図面の簡単な説明】
【００２１】
【図１】従来液晶表示装置の概略ブロック図である。
【図２】（ａ）は、従来電源供給回路でのスイッチングパルスの波形図であり、（ｂ）は、従来電源供給回路によるスペクトラムである。
【図３】本発明による液晶表示装置の電源供給回路図である。
【図４】本発明による液晶表示装置のまた他の電源供給回路図である。
【図５】（ａ）−（ｇ）は、図３及び図４各部の波形図である。
【図６】（ａ）は、同期信号の波形図であり、（ｂ）は、パワー信号の波形図である。
【図７】図３の正極性電荷チャージング／ローディング制御部または図４の負極性電荷チャージング／ローディング制御部の詳細ブロック図である。
【図８】（ａ）は、本発明によって周波数が一定なパターンに変化されることを示したグラフであり、（ｂ）は、本発明によって周波数がランダムなパターンに変化されることを示したグラフであり、（ｃ）は、本発明によって周波数が可変されてエネルギーがスプレッド（拡散）されたスペクトラムを示したグラフであり、（ｄ）は、本発明によって周波数が可変されて現われたスイッチングパルスの波形図である。
【図９】図７でＰＷＭ発生器の詳細ブロック図である。
【図１０】（ａ）、（ｂ）は、本発明が適用される前後の電磁波干渉信号に対するシミュレーション結果図である。
【発明を実施するための形態】
【００２２】
以下、添付した図面を参照して本発明の望ましい実施例を詳しく説明すれば次のようである。
【００２３】
図３は、本発明による液晶表示装置の電源供給回路図として、これに図示したように、第１正極性電荷チャージング部３０１及び第２正極性電荷チャージング部３０２、第１−３正極性電荷ローディング部３０３−３０５、及び正極性電荷チャージング／ローディング制御部３０６を具備する。前記図３の電源供給回路は図１でゲート電源供給部１２２に具備されることで、正極性電荷をチャージング（充電）して出力するための回路である。
【００２４】
第１正極性電荷チャージング部３０１は、正（＋）電源端子（ＶＳＰ）と負（−）電源端子（ＶＳＮ）の間に直列接続されたスイッチＳＷ３０１、コンデンサーＣ３０１及びスイッチＳＷ３０２を具備する。
【００２５】
第２正極性電荷チャージング部３０２は、正電源端子（ＶＳＰ）とグラウンド端子（ＶＳＳ）の間に直列接続されたスイッチＳＷ３０３、コンデンサーＣ３０２及びスイッチＳＷ３０４を具備する。
【００２６】
第１正極性電荷ローディング部３０３は、前記第１正極性電荷チャージング部３０１の負極性ポートＣ１Ｍと正電源端子（ＶＳＰ）との間に接続されたスイッチＳＷ３０５を具備する。
【００２７】
第２正極性電荷ローディング部３０４は、前記第１正極性電荷チャージング部３０１の正極性ポートＣ１Ｐと第２正極性電荷チャージング部３０２の負極性ポートＣ２Ｍを接続するスイッチＳＷ３０６を具備する。
【００２８】
第３正極性電荷ローディング部３０５は、前記第２正極性電荷チャージング部３０２の正極性ポートＣ２Ｐとグラウンド端子（ＶＳＳ）との間に直列接続されたスイッチＳＷ３０７及びコンデンサーＣ３０３を具備する。
【００２９】
正極性電荷チャージング／ローディング制御部３０６は、図５の（ａ）のように垂直同期信号（ＶＳＹＮＣ）のロー区間が経過された後に図５の（ｂ）のような水平同期信号（ＨＳＹＮＣ）に同期して、図５の（ｄ）のようなチャージング制御信号ＣＰ１、ＣＰ２を出力する。これによって、前記チャージング制御信号ＣＰ１、ＣＰ２の’ハイ’区間で前記第１、２正極性電荷チャージング部３０１、３０２のスイッチＳＷ３０１−ＳＷ３０４がターンオンされる。よって、前記正電源端子（ＶＳＰ）、負電源端子（ＶＳＮ）に供給される電源電圧によって前記コンデンサーＣ３０１に電荷がチャージングされて、前記正電源端子（ＶＳＰ）、グラウンド端子（ＶＳＳ）に供給される電源電圧によって前記コンデンサーＣ３０２に電荷がチャージング（充電）される。
【００３０】
また、前記正極性電荷チャージング／ローディング制御部３０６は、前記水平同期信号（ＨＳＹＮＣ）に同期して、図５の（ｄ）、（ｅ）のように前記チャージング制御信号ＣＰ１、ＣＰ２と位相が反対であるローディング制御信号（ＬＰ１−ＬＰ３）を出力する。これによって、前記ローディング制御信号（ＬＰ１−ＬＰ３）の’ハイ’区間で第１−３正極性電荷ローディング部３０３−３０５のスイッチＳＷ３０５−ＳＷ３０７がそれぞれターンオンされる。
【００３１】
したがって、前記正電源端子（ＶＳＰ）の電源電圧が前記スイッチＳＷ３０５を通じて前記第１正極性電荷チャージング部３０１のコンデンサーＣ３０１の負極性端子に接続された負極性ポートＣ１Ｍに供給されて、そのコンデンサーＣ３０１の充電電圧レベルが上昇される。
【００３２】
そして、前記レベルが上昇されたコンデンサーＣ３０１の充電電圧が前記スイッチＳＷ３０６を通じて第２正極性電荷チャージング部３０２のコンデンサーＣ３０２の負極性端子に接続された負極性ポートＣ２Ｍに供給されて、そのコンデンサーＣ３０２の充電電圧レベルが上昇される。
【００３３】
そして、前記のように二度のローディング動作によってレベルが上昇された前記第２正極性電荷チャージング部３０２のコンデンサーＣ３０２のチャージング電圧が前記スイッチＳＷ３０７を通じてコンデンサーＣ３０３にチャージングされる。前記コンデンサーＣ３０３にチャージングされた電圧は、ゲート端子（ＶＧＨ）を通じて外部に出力される。
【００３４】
ところが、前記正極性電荷チャージング／ローディング制御部３０６は、図５の（ｄ）−（ｇ）のように新しいフレームが始まる度に一番目の水平ラインで同一の位相（例：フェーズ１(ｐｈａｓｅ１））のチャージング制御信号ＣＰ１、ＣＰ２及びローディング制御信号ＬＰ１−ＬＰ３を出力する。
【００３５】
これによって、図６の（ａ）、（ｂ）のように毎フレームが始める度に同一の駆動電圧で液晶パネルを駆動することができるようになる。参照で、前記図６の（ａ）は、垂直同期信号（ＶＳＹＮＣ）の波形図であり、図６の（ｂ）は正、負電源端子（ＶＳＰ）、（ＶＳＮ）によって生成されたゲートハイ電圧（ＶＧＨ）、ゲートロー電圧（ＶＧＬ）に対する波形図である。
【００３６】
以後、前記正極性電荷チャージング／ローディング制御部３０６は、図５の（ｄ）−（ｆ）のように前記チャージング制御信号ＣＰ１、ＣＰ２のチャージング（充電）区間及びローディング制御信号ＬＰ１−ＬＰ３のローディング（出力）区間を周期的にまたは不規則的に変化させて、スプレッド（拡散）スペクトラムが具現される。
【００３７】
また、図５のように垂直同期信号（ＶＳＹＮＣ）の’ロー’区間は、ディスプレイ動作がなされない区間であることを勘案して、前記スイッチのスイッチング動作を停止させて、電力が無駄使いされることを防止するようにした。
【００３８】
一方、図４は、本発明による液晶表示装置の電源供給回路のまた他の具現例示図として、これに示したように、負極性電荷チャージング部４０１、第１負極性電荷ローディング部４０２、第２負極性電荷ローディング部４０３及び、負極性電荷チャージング／ローディング制御部４０４を具備する。
【００３９】
前記図４の電源供給回路の基本的な動作原理は、前記図３の電源供給回路の動作原理と類似なものであり、これに対して説明すれば次のようである。
【００４０】
負極性電荷チャージング部４０１は、正電源端子（ＶＳＰ）、負電源端子（ＶＳＮ）の間に直列接続されたスイッチＳＷ４０１、コンデンサーＣ４０１及びスイッチＳＷ４０２を具備する。
【００４１】
第１負極性電荷ローディング部４０２は、前記負極性電荷チャージング部４０１の正極性ポートＣ１Ｐとグラウンド端子（ＶＳＳ）との間に接続されたスイッチＳＷ４０３を具備する。
【００４２】
第２負極性電荷ローディング部４０３は、前記負極性電荷チャージング部４０１の負極性ポートＣ１Ｍとグラウンド端子（ＶＳＳ）との間に直列接続されたスイッチＳＷ４０４及びコンデンサーＣ４０２を具備する。
【００４３】
負極性電荷チャージング／ローディング制御部４０４は、図５の（ａ）のように垂直同期信号（ＶＳＹＮＣ）のロー区間が経過された後に図５の（ｂ）のような水平同期信号（ＨＳＹＮＣ）に同期して、図５の（ｄ）のようなチャージング制御信号ＣＰ１、ＣＰ２を出力する。これによって、前記チャージング制御信号ＣＰ１、ＣＰ２の’ハイ’区間で前記負極性電荷チャージング部４０１のスイッチＳＷ４０１、ＳＷ４０２がターンオンされる。よって、前記正電源端子（ＶＳＰ）、負電源端子（ＶＳＮ）の電源電圧によって前記コンデンサーＣ４０１に電荷がチャージングされる。
【００４４】
また、前記負極性電荷チャージング／ローディング制御部４０４は、前記水平同期信号（ＨＳＹＮＣ）に同期して、図５の（ｅ）のようなローディング制御信号ＬＰ１、ＬＰ２を出力する。これによって、前記ローディング制御信号ＬＰ１、ＬＰ２の’ハイ’区間で第１負極性電荷ローディング部４０２のスイッチＳＷ４０３と第２負極性電荷ローディング部４０３のスイッチＳＷ４０４がターンオンされる。
【００４５】
したがって、グラウンド端子（ＶＳＳ）の電源電圧が前記スイッチＳＷ４０３を通じて前記第１負極性電荷チャージング部４０１のコンデンサーＣ４０１の正極性端子に接続された正極性ポートＣ１Ｐに供給されて、そのコンデンサーＣ４０１の充電電圧レベルが下降される。
【００４６】
そして、前記のようなローディング動作によってレベルが下降された前記負極性電荷チャージング部４０１のコンデンサーＣ４０１のチャージング電圧が前記スイッチＳＷ４０４を通じてコンデンサーＣ４０２にチャージングされる。前記コンデンサーＣ４０２にチャージングされた電圧はゲート端子（ＶＧＬ）を通じて外部に出力される。
【００４７】
ところが、前記負極性電荷チャージング／ローディング制御部４０４は、図５の（ｄ）−（ｇ）のように新しいフレームが始まる度に一番目の水平ラインで同一の位相（例：フェーズ１（ｐｈａｓｅ１））のチャージング制御信号ＣＰ１、ＣＰ２及びローディング制御信号ＬＰ１、ＬＰ２を出力する。これによって、前記図６の説明のように毎フレームが始める度に同一の駆動電圧で液晶パネルを駆動することができるようになる。
【００４８】
以後、前記負極性電荷チャージング／ローディング制御部４０４は、図５の（ｄ）−（ｇ）のように前記チャージング制御信号ＣＰ１、ＣＰ２のチャージング区間及びローディング制御信号（ＬＰ１）、（ＬＰ２）のローディング区間を周期的にまたは不規則的に変化させて、スプレッド（拡散）スペクトラムが具現される。
【００４９】
また、図５のように垂直同期信号（ＶＳＹＮＣ）の’ロー’区間は、ディスプレイ動作がなされない区間であることを勘案して、前記スイッチのスイッチング動作を停止（Ｈａｌｔ）させて、電力が無駄使いされることを防止される。
【００５０】
図７は、前記図３の正極性電荷チャージング／ローディング制御部３０６または図４の負極性電荷チャージング／ローディング制御部４０４の具現例を示した詳細ブロック図であり、これに示したように、水平同期信号発生器７０１、マルチプレクサ（ＭＵＸ７０１）、リセット信号発生部７０２、カウンター７０３及びＰＷＭ発生器７０４を具備する。
【００５１】
水平同期信号発生器７０１は、実際入力される垂直同期信号（ＶＳＹＮＣ）、データイネーブル信号（ＤＥ）及び水平同期信号（ＨＳＹＮＣ）を参照して、それと類似な形態の水平同期信号（ＨＳＹＮＣ’）を生成する。
【００５２】
マルチプレクサ（ＭＵＸ７０１）は、選択信号（ＳＥＬ）によって前記水平同期信号（ＨＳＹＮＣ）、（ＨＳＹＮＣ’）のうちで一つの信号を選択して出力する。
【００５３】
リセット信号発生部７０２は、前記マルチプレクサ（ＭＵＸ７０１）から入力される水平同期信号を遅延器（Ｄ７０１）で所定時間遅延して、ＮＡＮＤゲート（ＮＤ７０１）を通じてＮＡＮＤ組み合せて、それによるリセット信号を生成する。
【００５４】
カウンター７０３は、ｎビットの出力（ＣＯＵＴ）を発生して、前記リセット信号発生部７０２から入力されるリセット信号によって水平同期信号（ＨＳＹＮＣ）と同一の周期でリセットされる。ＰＷＭ発生器７０４は、前記カウンター７０３の出力（ＣＯＵＴ）を受けて期設定されたパルス幅（Ｐｕｌｓｅ  ｗｉｄｔｈ）の位相（フェーズ（ｐｈａｓｅ）１，２，３，…，ｎ）を有するチャージング制御信号ＣＰ１、ＣＰ２とローディング制御信号ＬＰ１、ＬＰ２、ＬＰ３を発生させる。
【００５５】
図８の（ａ）−（ｄ）は、前記ＰＷＭ発生器７０４から出力される前記チャージング制御信号ＣＰ１、ＣＰ２及びローディング制御信号ＬＰ１−ＬＰ３の周波数パターン及びスペクトラムを示したものである。すなわち、ＰＷＭ発生器７０４は、図８の（ａ）のように中心周波数（ｆ０）を基準で一定なパターンに変化される周波数の前記チャージング制御信号ＣＰ１、ＣＰ２及びローディング制御信号ＬＰ１−ＬＰ３を生成するか、または図８の（ｂ）のように中心周波数（ｆ０）を基準で不規則的にホッピング（ｈｏｐｐｉｎｇ）する周波数の前記チャージング制御信号ＣＰ１、ＣＰ２及びローディング制御信号ＬＰ１−ＬＰ３を生成する。
【００５６】
これによって、本発明の電源供給回路によるスペクトラムが図８の（ｃ）のように中心周波数（ｆ０）帯域に集中されないで、広く開かれた形態になる。図８の（ｄ）は、前記ＰＷＭ発生器７０４から出力される前記チャージング制御信号ＣＰ１、ＣＰ２及びローディング制御信号（ＬＰ１−ＬＰ３）が可変周波数形態に出力されることを示した波形図である。
【００５７】
図９は、前記ＰＷＭ発生器７０４の具現例を示したものであり、順次発生器９０１、ランダム信号発生器９０２及びマルチプレクサ９０３、９０４を具備する。
【００５８】
順次信号発生器９０１は、チャージング制御信号ＣＰ１、ＣＰ２とローディング制御信号ＬＰ１、ＬＰ２、ＬＰ３の位相を図５の（ｆ）のように規則的に変化させる。ランダム信号発生器９０２は、前記チャージング制御信号ＣＰ１、ＣＰ２とローディング制御信号ＬＰ１、ＬＰ２、ＬＰ３の位相を図５の（ｇ）のように不規則的に変化させる。
【００５９】
前記順次信号発生器９０１の出力信号及びランダム信号発生器９０２の出力信号は、マルチプレクサ９０３で選択信号（ＳＳ＿ＳＥＬ）によって選択されて、前記チャージング制御信号ＣＰ１、ＣＰ２やローディング制御信号ＬＰ１−ＬＰ３に出力される。すなわち、前記順次信号発生器９０１の出力信号及びランダム信号発生器９０２の出力信号は、マルチプレクサ９０３、９０４で選択信号（ＳＳ＿ＳＥＬ）によって選択されて、前記図３及び図４のチャージング制御信号ＣＰ１、ＣＰ２やローディング制御信号ＬＰ１−ＬＰ３に出力される。
【００６０】
図１０の（ａ）は、本発明が適用されない電源供給回路で発生される電磁波干渉（ＥＭＩ）を示したものであり、図１０の（ｂ）は、本発明による電源供給回路で電磁波干渉が低減されたことを示した実験結果として、本発明によって電磁波干渉が多く低減されたことが分かる。
【００６１】
以上で本発明の望ましい実施例に対して詳しく説明したが、本発明の権利範囲がこれに限定されるものではなく、次の請求範囲で定義する本発明の基本概念を土台でより多様な実施例で具現されることができるし、このような実施例もまた本発明の権利範囲に属するものである。
【産業上の利用可能性】
【００６２】
以上説明したように、本発明は、ゲート電源駆動部に具備された電源供給回路でゲートハイ電圧やゲートロー電圧を生成するにおいて、チャージング制御信号及びローディング制御信号の区間を周期的に、またはランダムに可変することで電磁波干渉が低減される効果がある。また、新しいフレームが始まる度に同一の位相のチャージング制御信号及びローディング制御信号を使用して画像が安定された状態にディスプレイされる効果がある。
【符号の説明】
【００６３】
３０１…第１正極性電荷チャージング部、
３０２…第２正極性電荷チャージング部、
３０３−３０５…第１−３正極性電荷ローディング部、
３０６…正極性電荷チャージング／ローディング制御部、
４０１…負極性電荷チャージング部、
４０２…第１負極性電荷ローディング部、
４０３…第２負極性電荷ローディング部、
４０４…負極性電荷チャージング／ローディング制御部、
７０１…水平同期信号発生器、
７０２…リセット信号発生部、
７０３…カウンター、
７０４…ＰＷＭ発生器。
【図１】
0005124004.tif 000002
【図２】
0005124004.tif 000003
【図３】
0005124004.tif 000004
【図４】
0005124004.tif 000005
【図５】
0005124004.tif 000006
【図６】
0005124004.tif 000007
【図７】
0005124004.tif 000008
【図８】
0005124004.tif 000009
【図９】
0005124004.tif 000010
【図１０】
0005124004.tif 000011